(57)【要約】【課題】簡単な構造で、発光表示が可能な告知板及び遊技機用表示装置を提供すること。【解決手段】遊技機の島設備に設置される取付台３０は、平板に形成された台座部３１から告知板１を保持する告知板保持部３２が凸設されており、告知板保持部３２により告知板１が着脱可能に保持されている。また、台座部３１の島設備側に対向する面には、両面テープ３５が貼り付けられており、取付台３０の台座部３１を島設備に接着できるようになっている。また、取付台３０の台座部３１からは、電源コード３３が引き出されている。告知板１の両面には、無機エレクトロルミネッセンス素子から構成された発光表示部が設けられており、文字等を発光表示できる。【選択図】  図２
2004229986.tif 000002
【特許請求の範囲】
【請求項１】
所定の表示内容を発光して表示する告知板であって、
当該告知板の表面には、エレクトロルミネッセンス素子から構成された発光表示部が設けられ、
当該告知板の端部には、前記エレクトロルミネッセンス素子に電源を供給するための電源受入接点を備えたことを特徴とする告知板。
【請求項２】
前記告知板の両面に前記エレクトロルミネッセンス素子から構成された発光表示部が設けられていることを特徴とする請求項１に記載の告知板。
【請求項３】
前記エレクトロルミネッセンス素子は、無機エレクトロルミネッセンス素子であることを特徴とする請求項１又は２に記載の告知板。
【請求項４】
前記告知板を着脱自在に保持する取付台を遊技機が設置された島設備の上部に備え、
当該取付台には、前記告知板を着脱自在に保持する保持部と、
前記告知板の前記電源受入接点に当接して、前記エレクトロルミネッセンス素子に電源を供給する電源供給接点と
を備えたことを特徴とする請求項１乃至３の何れかに記載の告知板を備えた遊技機用表示装置。
【発明の詳細な説明】
【０００１】
【発明の属する技術分野】
本発明は、所定の表示内容を発光して表示する告知板及び遊技機用表示装置に関する。
【０００２】
【従来の技術】
従来、パチンコ機等の遊技機が設置された遊技場においては、遊技機が設置された島設備の上部に各種の情報を表示するスタート札と呼ばれる告知板が取り付けられるようになっている。この告知板は、島設備の上部に、固定された取付台に挿入して着脱可能に保持されるようになっており、長さ２０ｃｍ程のプレート状のものや円盤状のもの等の各種の形状がある。告知板の両面には、各種の文字や図柄が記載されている。遊技機に大当たりが発生した場合に使用されるものには、「大当たり中」、「連続中」、「無制限」、「確率変動中」等の文字が記載されており、また、その遊技機が新規にその遊技場に設置された場合に使用されるものには、「新台」、「新台登場」等の文字が記載されている。
【０００３】
また、告知板には、例えば多数の発光ダイオードを組み込んだ電飾方式のものも提案されている（例えば、特許文献１参照）。この発光ダイオード式告知板は、「大当たり」等が発生した時に、表示部分の内側の発光ダイオードで「大当たり」等の表示を発光させて照明し、周辺部分の発光ダイオードを点滅させるようにしている。また、その他にも取付台に発光ダイオードの光源を設置し、光源からの光を受光部で受光し、その光により所定の表示内容を発光表示する告知板等も提案されている（例えば、特許文献２参照）。
【０００４】
【特許文献１】
特開平４−２４０４６４号公報
【特許文献２】
特開平１０−３０５１３６号公報
【０００５】
【発明が解決しようとする課題】
しかしながら、発光ダイオード式告知板は、文字を表示するために、多数の発光ダイオードを告知板に配列する必要があり、製作コストが高くなるという問題点があった。また、特許文献２に記載の告知板は、受光部、発光表示部、導光部、光を拡散させるレンズ等を告知板本体に備えなければならず、構造が複雑で厚さが大きくなるという問題点があった。また、発光ダイオードから発生する光量は一定であり、点滅させる以外は変化させることはできないので、演出に欠けるという問題点もあった。
【０００６】
本発明は、上記課題を解決するためになされたものであり、簡単な構造で、発光表示が可能な告知板及び遊技機用表示装置を提供することを目的とする。
【０００７】
【課題を解決するための手段】
上記目的を達成するために、請求項１に記載の告知板は、所定の表示内容を発光して表示する告知板であって、当該告知板の表面には、エレクトロルミネッセンス素子から構成された発光表示部が設けられ、当該告知板の端部には、前記エレクトロルミネッセンス素子に電源を供給するための電源受入接点を備えている。
【０００８】
この構成の告知板では、表面にエレクトロルミネッセンス素子から構成された発光表示部が設けられており、そのエレクトロルミネッセンス素子には、告知板の端部に設けられた電源受入接点を介して外部から電源が供給され、当該エレクトロルミネッセンス素子が発光して所定の表示内容を表示する。
【０００９】
請求項２に記載の告知板は、請求項１に記載の発明の構成に加え、前記告知板の両面に前記エレクトロルミネッセンス素子から構成された発光表示部が設けられていることを特徴とする構成となっている。
【００１０】
この構成の告知板では、請求項１に記載の発明の作用に加え、両面に前記エレクトロルミネッセンス素子から構成された発光表示部が設けられているので、告知板の両面を用いて所定の表示内容を発光表示できる。また、発光表示部は告知板の両面に形成されているので、片面毎に文字等を変えて、同時にそれぞれ発光表示させることができる。
【００１１】
請求項３に記載の告知板は、請求項１又は２に記載の発明の構成に加え、前記エレクトロルミネッセンス素子は、無機エレクトロルミネッセンス素子であることを特徴とする。
【００１２】
この構成の告知板では、請求項１又は２に記載の発明の作用に加え、発光表示部に無機エレクトロルミネッセンス（無機ＥＬ）を用いているので、表示が高コントラストで応答が速く、消費電力を節約することができる。
【００１３】
請求項４に記載の遊技機用表示装置は、請求項１乃至３の何れかに記載の告知板を備え、前記告知板を着脱自在に保持する取付台を遊技機が設置された島設備の上部に備え、当該取付台には、前記告知板を着脱自在に保持する保持部と、前記告知板の前記電源受入接点に当接して、前記エレクトロルミネッセンス素子に電源を供給する電源供給接点とを備えている。
【００１４】
この構成の遊技機用表示装置では、遊技機が設置された島設備の上部に告知板を着脱自在に保持する取付台が設けられ、当該取付台の保持部により、告知板が着脱自在に保持される。また、当該取付台の電源供給接点が告知板の電源受入接点に当接して、エレクトロルミネッセンス素子に電源を供給する。
【００１５】
尚、本発明では、告知板のエレクトロルミネッセンス素子を複数の部分に分け、当該複数の部分に分けられたエレクトロルミネッセンス素子に対応して、告知板の電源受入接点の正極を複数設けても良い。そして、取付台の電源供給接点は、その複数の正極の何れかに電源を供給するようにしておけば、差し込む取付台により、同じ告知板でも、光る場所を異ならせるようにできる。
【００１６】
【発明の実施の形態】
以下、本発明の一実施の形態である告知板及び遊技機用表示装置について、図面を参照して説明する。図１はパチンコ機６０が設置された島設備５０の斜視図である。図１に示すように、遊技機の一種であるパチンコ機６０が設置された島設備５０の上部５１には、各パチンコ機６０に対応して告知板１の取付台３０が各々設けられている。そして、取付台３０には、告知板１が着脱可能に保持されている。
【００１７】
次に、図２を参照して、取付台３０への告知板１の取り付け状態について説明する。図２は取付台３０へ告知板１を取り付けた状態を示す図である。取付台３０は、平板に形成された台座部３１から告知板１を保持する告知板保持部３２が凸設されており、告知板保持部３２により告知板１が着脱可能に保持されている。また、台座部３１の島設備５０側に対向する面（図２における右側面）には、両面テープ３５が貼り付けられており、取付台３０の台座部３１を島設備５０に接着できるようになっている。また、取付台３０の台座部３１からは、電源コード３３が引き出されている。
【００１８】
次に、図３及び図４を参照して、告知板１の構造を説明する。図３は告知板１の一方の面を示す図であり、図４は告知板１の他方の面を示す図である。告知板１は、所謂「スタート札」とも呼ばれるもので、遊技場では、パチンコ機６０が大当たり状態になると、店員が、取付台３０に告知板１を取り付けて、そのパチンコ機６０が大当たり状態であることを示すために使用される。また、そのパチンコ機６０が、新たに遊技場に設置された新台である場合には、「新台」、「新台登場」等の告知板が取り付けられることもある。
【００１９】
図３及び図４に示すように、告知板１は、横長の長方形で角が丸く形成された樹脂板２から構成され、図３に示すように、その長手方向の一端部６（図３における右端）には、電源受入接点７，８，９が樹脂板２の表面に一体化されて各々設けられ、図４に示すように、その長手方向の一端部６（図４における左端）には、電源受入接点１７，１８，１９が樹脂板２の表面に一体化されて各々設けられている。通常は、電源受入接点７及び９、電源受入接点１７及び１９が使用され、電源受入接点７，１７が正極、電源受入接点９，１９がアースとなっている。電源受入接点８，１８は、未使用である。
【００２０】
また、告知板１の両面の一端部６と他端部３との間には、横長の長方形で角が丸く形成され、無機エレクトロルミネッセンス素子から構成された発光表示部４が各々設けられている。そして、図３に示す例では、発光表示部４には、「大爆発中」との文字が描かれた文字部５が形成され、無機エレクトロルミネッセンス素子によりその文字部５が発光するようになっている。また、図４に示す例では、発光表示部４には、「無制限」との文字が描かれた文字部５が形成され、無機エレクトロルミネッセンス素子によりその文字部５が発光するようになっている。尚、「大爆発中」との文字の無機エレクトロルミネッセンス素子は、電源受入接点７及び９に接続され、「無制限」との文字の無機エレクトロルミネッセンス素子は、電源受入接点１７及び１９に接続されている。
【００２１】
次に、図５乃至図８を参照して、取付台３０の構造を説明する。図５は取付台３０の正面図であり、図６は取付台３０の右側面図であり、図７は取付台３０の斜視図であり、図８は取付台３０の背面図である。図５乃至図８に示すように、取付台３０は、平板に形成された台座部３１から告知板１を保持する告知板保持部３２が凸設されており、その告知板保持部３２の突出量は、下部に向かって大きくなるように形成されている。
【００２２】
そして、告知板保持部３２には、告知板１を挿入する溝部３４が形成され、溝部３４内の下部右壁（図５に示す）には、電源受入接点７，８，９に各々当接する電源供給接点４１，４２，４３が設けられ、溝部３４内の下部左壁（図５に示す）には、電源受入接点１７，１８，１９に各々当接する電源供給接点４４，４５，４６が設けられている。通常は、この電源供給接点４１及び４４に正極の電圧が印加され、電源供給接点４３及び４６がアースとなっている。電源供給接点４２及び４５は未使用である。電源供給接点４１，４４，４３，４６は、電源コード３３内の電線に接続されている。
【００２３】
上記のように構成された告知板１では、その両面に無機エレクトロルミネッセンス素子から構成された発光表示部４が各々設けられ、無機エレクトロルミネッセンス素子によりその文字部５が発光するようになっているので、簡単な構造で、文字や図形を明るく発光させて遊技客に告知することができる。また、告知板１の発光表示部４に無機エレクトロルミネッセンス素子を用いているので、表示が高コントラストで応答が速く、消費電力を節約することができる。さらに、告知板１の両面で文字や図形の内容を異ならせて発光表示することもできる。
【００２４】
さらに、告知板１は、台座部３１に容易に着脱可能で、無機エレクトロルミネッセンス素子への電源の供給も電源受入接点７乃至９及び１７乃至１９と電源供給接点４１乃至４３及び４４乃至４６が各々当接して容易に行うことができる。また、電源受入接点７乃至９及び１７乃至１９が樹脂板２の表面に一体化されて各々設けられているので、告知板１の電源受入接点の破損を防止できる。
【００２５】
尚、本発明は上記実施の形態に限定されるものではなく、各種の変形が可能である。例えば、島設備５０に設けられるのは、パチンコ機に限らず、パチスロ機、パチコン機等でも良い。さらに、発光表示部４は、無機エレクトロルミネッセンス素子に限られず、有機エレクトロルミネッセンス素子を用いても良い。また、告知板１の形状は、長方形に限られず、図９（１）に示すように円形のものや、図９（２）に示すように楕円形等の各種の形状のものでも良い。
【００２６】
さらに、告知板１の両面に、電源受入接点７乃至９及び電源受入接点１７乃至１９を設けているが、電源受入接点は、告知板１の両面に必ずしも設ける必要はなく、告知板１の片面のみに電源受入接点を設けて、告知板１の両面に各々設けられている発光表示部４の無機エレクトロルミネッセンス素子をその電源受入接点に接続して、電源を供給するようにしてもよい。
【００２７】
また、上記の実施の形態では、電源受入接点８及び１８は、使用されていないが、告知板１の一方の面の発光表示部４の無機エレクトロルミネッセンス素子を２つの部分に分けて、電源受入接点７から電源が供給される部分と、電源受入接点８から電源が供給される部分とに分けても良い。このようにすることによって、島設備５０に複数取り付けられている取付台３０の中で、電源供給接点４１に電源が来ており、電源供給接点４２に電源が来ていない取付台３０と、電源供給接点４２に電源が来ており、電源供給接点４１に電源が来ていない取付台３０とを設けると、同じ告知板１を各取付台３０に差し込んでも、取付台３０により告知板１の発光する部分を変更することができる。
【００２８】
【発明の効果】
以上、詳述したように、請求項１に記載の告知板では、表面にエレクトロルミネッセンス素子から構成された発光表示部が設けられており、そのエレクトロルミネッセンス素子には、告知板の端部に設けられた電源受入接点を介して外部から電源が供給され、当該エレクトロルミネッセンス素子が発光して所定の表示内容を表示することができる。従って、簡単な構造で、発光表示を行うことができる。
【００２９】
請求項２に記載の告知板では、請求項１に記載の発明の効果に加え、両面に前記エレクトロルミネッセンス素子から構成された発光表示部が設けられているので、告知板の両面を用いて所定の表示内容を発光表示できる。また、発光表示部は板の両面に形成されているので、片面毎に文字等を変えて、同時にそれぞれ発光表示させることができる。
【００３０】
請求項３に記載の告知板では、請求項１又は２に記載の発明の効果に加え、発光表示部に無機エレクトロルミネッセンス（無機ＥＬ）を用いているので、表示が高コントラストで応答が速く、消費電力を節約することができる。
【００３１】
請求項４に記載の遊技機用表示装置では、遊技機が設置された島設備の上部に告知板を着脱自在に保持する取付台が設けられ、当該取付台の保持部により、告知板が着脱自在に保持される。また、当該取付台の電源供給接点が告知板の電源受入接点に当接して、エレクトロルミネッセンス素子に電源を供給することができる。
【図面の簡単な説明】
【図１】図１はパチンコ機６０が設置された島設備５０の斜視図である。
【図２】図２は取付台３０へ告知板１を取り付けた状態を示す図である。
【図３】図３は、告知板１の一方の面を示す図である。
【図４】図４は、告知板１の他方の面を示す図である。
【図５】図５は取付台３０の正面図である。
【図６】図６は取付台３０の右側面図である。
【図７】図７は取付台３０の斜視図である。
【図８】図８は取付台３０の背面図である。
【図９】図９は告知板１の変形例を示す図である。
【符号の説明】
１      告知板
２      樹脂板
４      発光表示部
５      文字部
７〜９，１７〜１９  電源受入接点
３０      取付台
３１    台座部
３２      告知板保持部
３３    電源コード
３４    溝部
４１〜４７  電源供給接点
５０    島設備
【図１】
2004229986.tif 000003
【図２】
2004229986.tif 000004
【図３】
2004229986.tif 000005
【図４】
2004229986.tif 000006
【図５】
2004229986.tif 000007
【図６】
2004229986.tif 000008
【図７】
2004229986.tif 000009
【図８】
2004229986.tif 000010
【図９】
2004229986.tif 000011